(57)【特許請求の範囲】
【請求項１】
商品棚に陳列されている商品の種類毎に設けられた電子棚札により、少なくとも該当商品の価格データを管理装置から受信して表示する電子棚札システムにおいて、
前記商品棚に取り付けられ、電子棚札を上下から挟み保持するレール部と、前記レール部に沿ってその前面に、ＰＯＰ表記具を上下から挟み保持する上下一対の凹部を備えた取
付部と、を備え、
前記ＰＯＰ表記具は、前記レール部に挟み保持される電子棚札の表示面を露出させる窓孔と、販売促進情報を表示する表記部と、前記凹部に嵌入する上下辺部を有し、
前記ＰＯＰ表記具の窓孔の孔縁に、前記電子棚札の左右側部とのみに接して位置決めする突片が設けられていることを特徴とする電子棚札システム。
【請求項２】
前記表記部は、前記窓孔を挟む左右何れかの側に設けられていることを特徴とする請求項１記載の電子棚札システム。
【発明の詳細な説明】
【技術分野】
【０００１】
本発明は、スーパーマーケット等の小売店で使用され、商品棚に陳列される商品の値段等をお客（購入者）に対して表示する電子棚札システムに関する。
【背景技術】
【０００２】
スーパーマーケット等の小売販売店で、商品棚に陳列した商品の価格を、本部の管理装置（ホストコンピュータ）からの指示によって液晶表示部に表示する電子棚札を、商品棚にレール部材を介して取り付け、更に前記レール部材の長手方向に沿う取付溝に、該電子棚札が表示する商品の販売促進に関する情報や広告等を表記した窓孔付きのＰＯＰ表記具を取り付けて、電子棚札の多方向の周囲で強調表示することで、突出を大きくしなくても広い表示面積を確保して販売促進効果の向上を狙った電子棚札システムが知られている（例えば、特許文献１参照）。
【０００３】
しかし、その一方で、お客が商品棚に陳列された商品を取り出す際にＰＯＰ表記具に触れて、ＰＯＰ表記具の取り付け位置がずれた場合には電子棚札の表示面を覆い隠すといった問題が存在する。
【０００４】
また、ＰＯＰ表記具をレール部材に対しビス止めにより強固に固定し、該ＰＯＰ表記具がずれるのを防止した方式も考えられるが、商品の陳列換えや販売促進商品の変更などで頻繁に取り外しを行うＰＯＰ表記具には不向きである。
【先行技術文献】
【特許文献】
【０００５】
【特許文献１】特開２００１−１７８５９９号公報
【発明の概要】
【発明が解決しようとする課題】
【０００６】
本発明は上記した従来の技術が有する問題点に鑑みてなされたもので、電子棚札と対で設けられるＰＯＰ表記具がずれて電子棚札を隠したりしない電子棚札システムを提供することを課題とする。
【課題を解決するための手段】
【０００７】
上記課題を達成するために本発明の電子棚札システムは、商品棚に陳列されている商品の種類毎に設けられた電子棚札により、少なくとも該当商品の価格データを管理装置から受信して表示する電子棚札システムにおいて、前記商品棚に取り付けられ、電子棚札を上下から挟み保持するレール部と、前記レール部に沿ってその前面に、ＰＯＰ表記具を上下から挟み保持する上下一対の凹部を備えた取付部と、を備え、前記ＰＯＰ表記具は、前記レール部に挟み保持される電子棚札の表示面を露出させる窓孔と、販売促進情報を表示する表記部と、前記凹部に嵌入する上下辺部を有し、前記ＰＯＰ表記具の窓孔の孔縁に、前記電子棚札の左右側部とのみに接して位置決めする突片が設けられていることを特徴とする。
前記取付部は合成樹脂製、金属製の何れでもよいが、透明な合成樹脂製が好ましい。また、電子棚札は管理装置とデータの授受を行なう方式は、例えば、赤外線通信、無線ＬＡＮ方式など何れでもよい。
また、取付部の凹部に挟み保持するＰＯＰ表記具は、合成樹脂材からなる薄板、紙と合成樹脂シートの積層シート、厚板紙等、何れでもよい。また、ＰＯＰ表記具における表記部は窓孔を囲む外周部分にある。
【０００８】
上記手段によれば、電子棚札の表示面を露出させる窓孔が開設されたＰＯＰ表記具の上下辺は、取付部の上下寸法（高さ寸法）内に設けられた凹部内に収められる為、ＰＯＰ表記具が取付部の少なくとも上部より突出することはなく、従って、商品棚から商品を取り出す際にＰＯＰ表記具に触れることはなく、よって、ＰＯＰ表記具が横方向（左右方向）に移動するのを防止できる。それにより、お客に対する電子棚札の価格表示がＰＯＰ表記具で妨げられるのを解消できる。
また、前記ＰＯＰ表記具の窓孔の孔縁には、前記電子棚札の左右側部とのみに接する突片を設けられている。
前記突片は、ＰＯＰ表記具を構成する材料に窓孔を打抜き形成する時、一緒に形成し、その突片を裏面側に折り曲げて一体に形成、或いは、ＰＯＰ表記具とは別に突片を単独で形成し、その突片をＰＯＰ表記具の窓孔の孔縁に略直角に交叉させて接着固定する等、何れでもよい。
【００１０】
上記手段によれば、ＰＯＰ表記具の窓孔の孔縁に設けた突片が、電子棚札の左右側部と接することで、ＰＯＰ表記具が単独で左右方向に移動するのを防止できる。それにより、ＰＯＰ表記具を対応する電子棚札に対して位置決め取り付けることができる。
【００１１】
また、前記表記部は、前記窓孔を囲む外周の平面部分の何れでもよいが、例えば、窓孔挟む左右何れかの側に設けてもよい。
その場合は、ＰＯＰ表記具の上下寸法が制限されても、表記部の範囲を大きくでき、販促情報、広告などを効果的に表示することができる。
【発明の効果】
【００１２】
本発明の電子棚札システムは請求項１記載の構成により、電子棚札の多方向の周囲を強調表示するＰＯＰ表記具を取付部の上下寸法内に収め、しかも、ＰＯＰ表記具の上下辺も取付部の上下寸法（高さ寸法）内に設けられた凹部内に収められる為、ＰＯＰ表記具が取付部の少なくとも上部より突出することはなく、従って、商品棚から商品を取り出す際にＰＯＰ表記具に触れることはなく、よって、ＰＯＰ表記具が横方向（左右方向）に移動するのを防止できる。それにより、お客に対する電子棚札の価格表示がＰＯＰ表記具で妨げられるのを解消できる。
また、ＰＯＰ表記具の窓孔の孔縁に設けた突片が、電子棚札の左右側部とのみに接することで、ＰＯＰ表記具が単独で左右方向に移動するのを防止できる。それにより、ＰＯＰ表記具を対応する電子棚札に対して位置決め取り付けることができる。
また、請求項２記載の構成により、ＰＯＰ表記具の上下寸法が制限されても、表記部の範囲を大きくでき、販促情報、広告などを効果的に表示することができる。
【図面の簡単な説明】
【００１３】
【図１】本発明に係る電子棚札システムの実施の形態の一例を示す斜視図。
【図２】電子棚札システムを構成する取付部の斜視図。
【図３】取付部に電子棚札及びＰＯＰ表記具を取り付けた状態の縦断面図。
【図４】（ａ）はＰＯＰ表記具の一例を示す正面図、（ｂ）は同横断面図、（ｃ）は電子棚札を示す正面図。
【図５】（ａ）は突片を備えたＰＯＰ表記具を示す正面図、（ｂ）は同横断面図、（ｃ）はその取り付け状態を示す斜視図。
【図６】ＰＯＰ表記具の他の変形例を示す正面図。
【発明を実施するための形態】
【００１４】
以下、本発明に係る電子棚札システムの実施の形態の一例を図面に基づいて説明する。
図１は電子棚札システムによる商品陳列状態を示す斜視図で、図中、Ａは商品棚Ｄの前部に取り付けた取付部、Ｂは前記取付部Ａに挟み取り付けた電子棚札、Ｃは前記電子棚札Ｂの前方に位置させて前記取付部Ａに挟み取り付けたＰＯＰ表記具、１９は陳列商品である。
【００１５】
前記取付部Ａは、透明又は半透明な合成樹脂材によって横長の枠体に形成され、その枠体は、図３に示すように、商品棚Ｄの前端に略Ｔ字状に嵌合係着される棚係着部１と、その棚係着部１の上端部に薄肉のヒンジ２を介して前記棚係着部１の前方に垂下形成した、電子棚札Ｂを挟み保持するレール部３と、前記電子棚札Ｂの前方に取り付けるＰＯＰ表記具を挟み保持する上下一対の凹部４が一体に形成されている。
【００１６】
前記棚係着部１は、アルミ材の型材からなる商品棚Ｄの前端に形成された掛止部１７に対して装着できるものであればよく、棚係着部１の形状は、商品棚Ｄの掛止部１７の形態に合わせて形成される。その一例を示すと、図３に示すように、上側部材１ａと該上側部材１ａに連続する下側部材１ｂからなり、前記上側部材１ａは、鉛直状の平板の裏面下部に後方係合溝５を備えている。前記後方係合溝５には、例えば、商品棚に設置される商品仕切り板の前方側を係合したり、陳列商品が前方へ転落するのを防止する商品転落防止板が係合される。
【００１７】
下側部材１ｂは、前記上側部材１ａの後方係合溝５の下端接合部５’より下側に配置される商品棚の掛止部と係着するもので、前記上側部材１ａの下端接合部５’の下端より垂直下方に突出する上部係合片６と、下端接合部５’より前方下向きに延出する傾斜片７と、前記傾斜片７の下端部から後方に延出し、且つその端部に湾曲部を備えた下部係合片８とからなる。
それにより、取付部Ａは棚係着部１の下側部材１ｂに形成された上部係合片６が商品棚Ｄの上側の掛止部１７である掛止溝に、また、下部係合片８が商品棚Ｄの下側の掛止部１７である掛止片とそれぞれ嵌合係着して、安定よく取り付けられる。
【００１８】
レール部３は、矩形箱状の電子棚札Ｂを上下から挟み保持する断面略コ字形に形成され、上側片３ａと下側片３ｂの前端には内側面には電子棚札Ｂが前方に抜け出るのを押える支持片９，９’が形成され、更に上側片３ａと下側片３ｂの内側面には電子棚札Ｂを安定よく保持する突条１０，１０’がレール方向に沿って突出形成されている。
そして、このレール部３は、前記棚係着部１の上側部材１ａの上端に設けたヒンジ２より前方下向きに延出された連結部材１１に垂下連結され、レール部３の下端は前記棚係着部１の下側部材１ｂの下端（傾斜片７の下端）と略面一の位置に位置されている。
【００１９】
前記連結部材１１は、略同じ形状の２枚の帯板を重ね合わせ、下端部を接合し、上端側を開口して、宣伝、広告等のカード類を挿入し得る溝構造に形成されている。尚、連結部材１１は溝構造とすることなく、１枚板で構成してもよい。
【００２０】
上下一対の凹部４は、電子棚札Ｂの前方に配置するＰＯＰ表記具Ｃの上下辺部を挟み保持するもので、前記レール部３の支持片９’の前面と、前記連結部材１０の上側前面に、係止片１２，１２’が所定の間隔（カード等を差し込める間隔）をおいて突出形成されて形成されている。尚、上側の凹部４は連結部材１０の上側前面に設けることなく、レール部３の上側の支持片９の前面に設けてもよく、その場合、ＰＯＰ表記具Ｃの高さ（上下辺部間の幅）は小さいものでよくなる。
【００２１】
電子棚札Ｂは、外部の管理装置から指示された商品データを表示する液晶表示部１８（表示面）を備えた今日周知のもので、電源としてボタン型電池、或いは太陽電池を備えたもの、また管理装置との通信方式も赤外線通信方式、或いは無線ＬＡＮ方式等、何れでもよい。
前記液晶表示部１８（表示面）は、少なくとも商品の価格を表示し、それ以外に商品名を表示するようにしてもよい。
【００２２】
ＰＯＰ表記具Ｃは、図４（ａ），（ｂ）に示すように、合成樹脂材等の薄板材で矩形のカード１３に形成され、そのカード１３に、前記電子棚札Ｂの表示面１８を露出させる窓孔１４が開設され、その窓孔１４を囲む外周の平面部分は販売促進情報等を表示する表記部１５として形成されている。
そして、カード１３の略直線をなした上下辺部１３ａ，１３ｂを、前記取付部Ａの上下一対の凹部４に差し込むことで、該ＰＯＰ表記具Ｃを取付部Ａに装着することができる。取付部Ａに対するＰＯＰ表記具Ｃの取り付けは、該ＰＯＰ表記具が曲げ変形可能な合成樹脂の薄板材で形成されている為、カード１３の高さ方向を円弧状に折り曲げて、取付部Ａにおける取り付け位置の正面から凹部４に差し込むことができる。尚、取付部Ａの長手方向側端から凹部４にスライド挿入できることは言うまでもない。尚、ＰＯＰ表記具Ｃを挟み保持する前記取付部Ａが透明又は半透明部材で構成された場合、取付部Ａの凹部４に差し込まれるＰＯＰ表記具Ｃの上下辺部１３ａ，１３ｂ部分は透けて見え、該ＰＯＰ表記具の全体の外形（輪郭）が確認できるようになり、ＰＯＰ表記具を強調表示することができる。
【００２３】
また、図５に示すように、ＰＯＰ表記具Ｃの裏面（電子棚札Ｂの表面と対向する面）における前記窓孔１４の左右孔縁には電子棚札Ｂの左右側部と接する突片１６，１６’が設けられている。
前記突片１６，１６’は、薄板材（ＰＯＰ表記具の素材）からＰＯＰ表記具Ｃのカード１３、及び内部の窓孔１４を打抜く時、該突片１６，１６’の部分を窓孔１４内に確保して打抜き、打抜き後、前記突片１６，１６’部分を裏面側に直角に折り曲げることで一体に形成されている。
これにより、ＰＯＰ表記具Ｃを電子棚札Ｂの前方に配置し、且つ前記突片１６，１６’で電子棚札Ｂを挟むように装着することで、ＰＯＰ表記具Ｃが取付部Ａの凹部４に沿って左右方向に移動しようとしても、突片１６，１６’が電子棚札Ｂの左右側部と当接して移動が規制される。従って、ＰＯＰ表記具Ｃを対応する電子棚札Ｂに対して位置決め装着することができると共に、ＰＯＰ表記具Ｃが電子棚札Ｂに対して左右方向にずれるのを防止することができる。
【００２４】
又、窓孔１４を囲む表記部１５は、該部に表示される販売促進情報等が目立つように、表面（地色）が鮮やかな色彩、例えば赤色に表示され、ＰＯＰ表記は前記地色部分に表示領域を白抜きし、その白抜き部分に地色と同じ色（赤色）でＰＯＰ表記する。尚、ＰＯＰ表記の色は、地色と同色に限らず、例えば、地色と全く対照的な色彩、例えば、黄色、或いは、他の色を用いてもよい。
前記表記部１５に表示するＰＯＰ表記１５’としては、例えば、「おすすめ品」、「今月のお買得」、「本日の目玉商品」、「Ｓａｌｅ」、「特売中」等、販売促進に関する情報や広告をＰＯＰ文字で表記したものである。この表記部１５は、前記カード１３と一体に作成される。具体的には、前記ＰＯＰ文字を表記した印刷紙をラミネート加工し、又は前記印刷紙を合成樹脂の薄板に貼り合わせた後に、窓孔を含めて所定の形状に打抜いて作成される。
前記ＰＯＰ表記１５’の位置は、図４及び図５に示すように、ＰＯＰ表記具Ｃの横幅寸法が電子棚札Ｂの横幅寸法より左右方向に僅か大きい寸法で、ＰＯＰ表記具Ｃの高さ寸法（上下辺部１３ａ，１３ｂ間の幅）が電子棚札Ｂの高さ寸法より大きい寸法の場合は、窓孔１４の上側孔縁と上辺部１３ａとの間に配置する。
【００２５】
又、ＰＯＰ表記具Ｃの高さ寸法が電子棚札Ｂの高さ寸法より僅かに大きい寸法で、該ＰＯＰ表記具Ｃを挟み保持する上側の凹部４がレール部３の上側片３ａ（又は支持片９）の前面に形成されている場合、ＰＯＰ表記１５’は前記した窓孔１４の上側孔縁と上辺部１３ａとの間に配置することができないため、図６（ａ）に示すように、窓孔１４と横並びに配置形成するようＰＯＰ表記具Ｃを横長形状とする。それにより、ＰＯＰ表記具の高さ寸法が制限される場合でも、十分な大きさのＰＯＰ表記部を確保でき、販促効果を高めることができる。
【００２６】
また、前記ＰＯＰ表記１５’は窓孔１４の上側、或いは窓孔の左右側部の１箇所にのみ設ける形態に限らず、窓孔１４を囲む外周部分に複数個所（例えば、２箇所）設けてもよい。例えば、図６（ｂ）に示すように、窓孔１４の上側と、窓孔１４の右側部の２箇所（図４（ａ）と図６（ａ）の合体）に設けてもよい。但し、その場合、ＰＯＰ表記具Ｃの高さ寸法は図４に示したと同じの高さ寸法とする。
【００２７】
上記の如く構成した電子棚札システムは、商品棚の前面に取り付けられた取付部Ａの上下寸法内に、ＰＯＰ表記具Ｃを装着保持できる為、商品棚に陳列された商品を取り出す際にＰＯＰ表記具Ｃに手や商品が触れることはなく、従って、ＰＯＰ表記具Ｃが取付部Ａから外れる、或いは左右にずれるのを防止でき、電子棚札との対応関係を安定して保持することができる。
また、ＰＯＰ表記具の裏面に、電子棚札Ｂの左右側部と接する突片１６，１６’を設けたことで、ＰＯＰ表記具Ｃを対応する電子棚札Ｂに対して位置決め装着することができると共に、ＰＯＰ表記具Ｃが電子棚札Ｂに対して左右方向にずれるのを防止することができる。
【００２８】
本発明の電子棚札システムは図示した実施の形態に限定されるものではなく、本発明の要旨を変更しない範囲で適宜変更可能である。
（１）実施の形態では、商品棚の前端に取り付けられる取付部の棚係着部が、商品棚と上下２箇所で係着する例を示したが、これに限らず、例えば、上側１箇所で係着する形態でもよい。即ち、商品棚の前面に形成される掛止構造により棚係着部の構造が決定される。
（２）実施の形態では、取付部の棚係着部とレール部との角度をヒンジによって可変できる構造を示したが、これに限らず、レール部に装着される電子棚札、及び凹部に装着されるＰＯＰ表記具がお客から見やすい角度に固定した構造としてもよい。
（３）実施の形態では、棚係着部の前方に配置されるレール部を、ヒンジに連結部材を介して取り付けた構造を示したが、これに限らず、ヒンジに直接レール部を取り付けてもよい。
（４）実施の形態では、取付部を透明又は半透明部材で構成した例を説明したが、これに限定されず、不透明部材で構成してもよい。
【符号の説明】
【００２９】
Ａ…取付部
Ｂ…電子棚札
Ｃ…ＰＯＰ表記具
Ｄ…商品棚
３…レール部
４…凹部
１３ａ，１３ｂ…ＰＯＰ表記具の上下辺部
１４…窓孔
１５…表記部
１５’…ＰＯＰ表記
１６，１６’…突片
【図１】
0005703745.tif 000002
【図２】
0005703745.tif 000003
【図３】
0005703745.tif 000004
【図４】
0005703745.tif 000005
【図５】
0005703745.tif 000006
【図６】
0005703745.tif 000007